(57)【要約】【課題】電子基板を内包する基板ケースの不正開放を防止して、電子基板に対する不正行為を効果的に予防することができる電子基板ユニットを提供すること。【解決手段】この電子基板ユニットＵ１は、協働して電子基板３４を内包する第１基板ケース３５ａ又は第２基板ケース３５ｂに係止して、第１基板ケース３５ａと第２基板ケース３５ｂとの係合状態を保持する痕跡残留部材４２と、痕跡残留部材４２の係止状態の解除を規制する係止規制部材４３と、を備える。【選択図】図６
2011097995.tif 000002
【特許請求の範囲】
【請求項１】
協働して電子基板を内包する第１基板ケース及び第２基板ケースと、
該第１基板ケースと該第２基板ケースの係合状態を保持すると共に係合を解除された際の痕跡を残留させる痕跡残留部材と、を備える電子基板ユニットであって、
該痕跡残留部材は、該第１基板ケースと該第２基板ケースとの係合状態において該第１基板ケース及び該第２基板ケースのうち少なくとも一方に係止することによって、該係合状態の解除を規制するように構成されており、
該痕跡残留部材の係止状態において、該痕跡残留部材、該第１基板ケース及び該第２基板ケースのうち少なくともいずれかと接続することによって、該痕跡残留部材の該係止状態の解除を規制する係止規制部材を更に備える、電気基板ユニット。
【請求項２】
前記第１基板ケース及び前記第２基板ケースは、スライド方向に相対移動することにより分離及び係合するように構成されており、
前記痕跡残留部材は、前記スライド方向と直交する第１方向に移動することによって該第１基板ケース及び該第２基板ケースのうち少なくとも一方に係止するように構成されており、
前記係止規制部材は、前記第１方向と直交する第２方向に移動することによって該痕跡残留部材、該第１基板ケース及び該第２基板ケースのうち少なくともいずれかと接続するように構成されている、請求項１に記載の電子基板ユニット。
【請求項３】
前記第１基板ケース及び前記第２基板ケースは、一方に設けられた回転軸を中心に回転方向に相対移動することにより分離及び係合するように構成されており、
前記痕跡残留部材は、前記回転方向の移動における回転軌跡と直交する第３方向に移動することによって該第１基板ケース及び該第２基板ケースのうち少なくとも一方に係止するように構成されており、
前記係止規制部材は、前記第３方向と直交する第４方向に移動することによって該痕跡残留部材、該第１基板ケース及び該第２基板ケースのうち少なくともいずれかと接続するように構成されている、請求項１に記載の電子基板ユニット。
【請求項４】
前記痕跡残留部材は、前記第１基板ケースと前記第２基板ケースのうち少なくとも一方に形成された痕跡残留穴部に挿入されることにより、該第１基板ケースと該第２基板ケースのうち少なくとも一方に係止するように構成されており、
前記係止規制部材は、前記痕跡残留部材の前記痕跡残留穴部からの引抜方向への移動を規制するように構成されている、請求項１から請求項３のいずれかに記載の電子基板ユニット。
【請求項５】
前記痕跡残留部材には、前記係止規制部材が貫通可能な貫通穴部が形成されており、
前記係止規制部材は、該貫通穴部を貫通した状態で前記第１基板ケース及び前記第２基板ケースのうち少なくとも一方と接続することによって、該痕跡残留部材の該係止状態の解除を規制する、請求項１から請求項４のいずれかに記載の電子基板ユニット。
【発明の詳細な説明】
【技術分野】
【０００１】
本発明は、電子基板を内包する基板ケースを有する電子基板ユニットに係り、特に基板ケースに内包された電子基板に対する不正行為を予防することのできる電子基板ユニットに関する。
【背景技術】
【０００２】
パチンコ機等の遊技機においては、弾球された遊技球が遊技領域（遊技盤面又はその近傍に形成された領域であって、遊技球の流下による遊技や演出を実現するための領域。）を流下して、その流下の過程で遊技球が遊技領域内の遊技釘（ゲージともいう。）や風車に衝突しつつ転回して流下方向が変化する。その結果、遊技領域上に配置された各種入賞口に遊技球が入賞すれば所定の賞球の払出しがされ、一方いずれの入賞口にも入賞せずアウト口に遊技球が流入すれば賞球払出しはされない。遊技者は、弾球における自らの技量を発揮して、又は遊技球の流下における偶然性を利用しつつ遊技球の入賞及び賞球の払出しを期待し、遊技を楽しむのである。
【０００３】
このようなパチンコ機においては、年々遊技の態様や演出が複雑化・多様化してきており、それに伴い遊技機の動作や演出を制御するための電子基板の構造や機能も複雑化・多様化してきている。このような電子基板に対して不正な破壊や改造が行われると、遊技が適正に行われなかったり、一部の不正な遊技者に対して不当な利益が付与されてしまったりするおそれがある。そのため、この電子基板及びその周囲構造に対しては、外部からのアクセスが困難となるような工夫が為される必要がある。
【０００４】
例えば特許文献１には、ケース体とカバー部材との不正開放を防止し、内包する電子基板を保護する電子基板ケースが記載されている。この電子基板ケースは、ケース体と、カバー体と、カバー体に挿入される挿入ピンと、を有している。カバー体には、挿入ピンの頭部を支持するピン挿入台が設けられ、ケース体には、挿入ピンの先端部に係合するピン固定具が収容固定されている。ケース体にカバー体を被着した状態で挿入ピンを押圧動作することによって、ピン挿入台とピン固定具とを挿入ピンによって連結して、ケース体とカバー体とによって電子基板を封止することができる。
【先行技術文献】
【特許文献】
【０００５】
【特許文献１】特開２００２−３３６５１０号公報
【発明の概要】
【発明が解決しようとする課題】
【０００６】
しかしながら、特許文献１に記載の遊技機は、ピン挿入台とピン固定具とを挿入ピンで連結して封止状態を維持しており、挿入ピンが外れることにより、基板ケースを開放されてしまうおそれがあり、電子基板への不正アクセスを確実に予防することが困難であった。
【０００７】
本発明は、上記の事情に鑑みて為されたもので、電子基板を内包する基板ケースの不正開放を防止して、電子基板に対する不正行為を効果的に予防することができる電子基板ユニットを提供することを例示的課題とする。
【課題を解決するための手段】
【０００８】
上記の課題を解決するために、本発明の例示的側面としての電子基板ユニットは、協働して電子基板を内包する第１基板ケース及び第２基板ケースと、第１基板ケースと第２基板ケースの係合状態を保持すると共に係合を解除された際の痕跡を残留させる痕跡残留部材と、を備え、痕跡残留部材は、第１基板ケースと第２基板ケースとの係合状態において第１基板ケース及び第２基板ケースの少なくともいずれかに係止することによって、係合状態の解除を規制するように構成されており、痕跡残留部材の係止状態において、痕跡残留部材、第１基板ケース及び第２基板ケースのうち少なくともいずれかと接続することによって、痕跡残留部材の係止状態の解除を規制する係止規制部材を更に備える。
【０００９】
協働して電子基板を内包する第１基板ケースと第２基板ケースとの係合状態を保持すると共に係合を解除された際の痕跡を残留させる痕跡残留部材を備えることにより、第１基板ケースと第２基板ケースとが分離されることを防止して、第１基板ケースと第２基板ケースとに内包される電子基板への不正アクセスを防止することができる。更に、第１基板ケースと第２基板ケースとの係合が不正に解除されて、内包される電子基板にアクセスされた場合であっても、係合を解除された際の痕跡を残すことができるため、不正に解除されたことを早期に発見することが可能となる。
【００１０】
痕跡残留部材は、第１基板ケースと第２基板ケースとの係合状態において、第１基板ケースと第２基板ケースの少なくともいずれかに係止することによって係合状態の解除を規制するように構成されており、第１基板ケース及び／又は第２基板ケースとの係止状態が解除されると、第１基板ケースと第２基板ケースとの係合状態も解除されてしまうおそれがある。しかし、痕跡残留部材の係止状態の解除を規制する係止規制部材を備えることにより、痕跡残留部材の係止状態の解除を規制し、第１基板ケース及び第２基板ケースに内包される電子基板への不正アクセスを効果的に防止することができ、セキュリティー性を向上させることが可能となる。
【００１１】
なお、第１基板ケースと第２基板ケースとの係合状態とは、第１基板ケースと第２基板ケースとによって内部空間が封止された状態であり、第１基板ケースと第２基板ケースに内包された電子基板に外部からアクセスできない状態である。
【００１２】
また、痕跡残留部材は、第１基板ケースと第２基板ケースの係合が解除された際に、第１基板ケースと第２基板ケースのうち少なくとも一方に解除されたことの痕跡を残留させるように構成されていてもよいし、痕跡残留部材自体に解除されたことの痕跡を残留させるように構成されていてもよい。
【００１３】
第１基板ケース及び第２基板ケースは、スライド方向に相対移動することにより分離及び係合するように構成されており、痕跡残留部材は、スライド方向と直交する第１方向に移動することによって第１基板ケース及び第２基板ケースのうち一方に係止するように構成されており、係止規制部材は、第１方向と直交する第２方向に移動することによって痕跡残留部材、第１基板ケース及び第２基板ケースのうち少なくともいずれかと接続するように構成されていてもよい。
【００１４】
第１基板ケースと第２基板ケースとのスライド方向と、痕跡残留部材の移動方向である第１方向と、が直交することにより、第１方向への痕跡残留部材の移動に伴って第１基板ケースと第２基板ケースとが分離するスライド方向に移動することを防ぐことができ、第１基板ケースと第２基板ケースとの係合状態をより確実に維持することができる。
【００１５】
更に、痕跡残留部材の移動方向である第１方向と、係止規制部材の移動方向である第２方向と、が直交することにより、第２方向への係止規制部材の移動に伴って係止状態を解除する第１方向に痕跡残留部材が移動することを防ぐことができ、痕跡残留部材の係止状態をより確実に維持することができる。
【００１６】
なお、第１基板ケースと第２基板ケースとがスライド方向に相対移動することにより分離及び係合する構成とは、第１基板ケースと第２基板ケースとが相対的にスライド方向に移動することによって係合及び分離（係合が解除）する構成である。例えば、第１基板ケースのみが第２基板ケースに対してスライド移動する構成、第２基板ケースのみが第１基板ケースに対してスライド移動する構成、及び第１基板ケースと第２基板ケースとの双方がスライド移動する構成を含むものである。
【００１７】
第１基板ケース及び第２基板ケースは、一方に設けられた回転軸を中心に回転方向に相対移動することにより分離及び係合するように構成されており、痕跡残留部材は、回転方向と直交する第３方向に移動することによって第１基板ケース及び第２基板ケースのうち少なくとも一方に係止するように構成されており、係止規制部材は、第３方向と直交する第４方向に移動することによって痕跡残留部材、第１基板ケース及び第２基板ケースのうち少なくともいずれかと接続するように構成されていてもよい。
【００１８】
第１基板ケースと第２基板ケースとの回転方向と、痕跡残留部材の移動方向である第３方向と、が直交することにより、第３方向への痕跡残留部材の移動に伴って第１基板ケースと第２基板ケースとが分離する回転方向に移動することを防ぐことができ、第１基板ケースと第２基板ケースとの係合状態をより確実に維持することができる。
【００１９】
更に、痕跡残留部材の移動方向である第３方向と、係止規制部材の移動方向である第４方向と、が直交することにより、第４方向への係止規制部材の移動に伴って係止状態を解除する第３方向に痕跡残留部材が移動することを防ぐことができ、痕跡残留部材の係止状態をより確実に維持することができる。
【００２０】
なお、第１基板ケース及び第２基板ケースが回転方向に相対移動することにより分離及び係合する構成とは、第１基板ケースと第２基板ケースとが相対的に回転方向に移動することによって係合及び分離（係合が解除）する構成である。例えば、第１基板ケースのみが第２基板ケースに対して回転移動する構成、第２基板ケースのみが第１基板ケースに対して回転移動する構成、及び第１基板ケースと第２基板ケースとの双方が回転移動する構成を含むものである。
【００２１】
痕跡残留部材は、第１基板ケースと第２基板ケースのうち少なくとも一方に形成された痕跡残留穴部に挿入されることにより、第１基板ケースと第２基板ケースのうち少なくとも一方に係止するように構成されており、係止規制部材は、痕跡残留穴部からの引抜方向への移動を規制するように構成されていてもよい。
【００２２】
このような構成によれば、痕跡残留部材を痕跡残留穴部に挿入することによって第１基板ケースと第２基板ケースとの係合状態の解除を規制することができる。なお、痕跡残留穴部は、第１基板ケースと第２基板ケースとに跨って形成され、痕跡残留部材が双方に挿入されることにより係合状態を保持する構成であってもよいし、第１基板ケースと第２基板ケースの一方に設けられ、痕跡残留部材と他方を挟み込むことにより係合状態を保持する構成であってもよい。
【００２３】
痕跡残留部材と痕跡残留穴部の具体的な構成としては、痕跡残留部材に伸縮可能な突起部を設け、痕跡残留穴部に突起部が係止する係止穴部を形成する。突起部は、押圧されることにより縮み、押圧が解除されることにより延びるように構成する。指等で突起部を押圧して痕跡残留部材を痕跡残留穴部に挿入し、係止穴部と対向する位置まで突起部が挿入されると、押圧が解除されて突起部が伸びて係止穴部に係止するように構成する。このような構成によれば、痕跡残留穴部に痕跡残留部材を挿入することにより、痕跡残留穴部の係止穴部に突起部を係止させて、痕跡残留穴部からの引抜方向への痕跡残留部材の移動を規制して、第１基板ケースと第２基板ケースとの係合状態が解除されることを規制することができる。
【００２４】
更に、係止規制部材によって、痕跡残留穴部からの引抜方向への痕跡残留部材の移動を規制するため、係止規制部材によっても痕跡残留部材が痕跡残留穴部から抜けることを防止することができる。係止規制部材の具体的な構成としては、痕跡残留部材が痕跡残留穴部に挿入された状態で引抜方向において痕跡残留部材と当接して、引抜方向への移動を規制する構成や、痕跡残留部材が痕跡残留穴部に挿入された状態で痕跡残留部材と痕跡残留穴部とに跨って装着されて、引抜方向への移動を規制する構成を例示することができる。
【００２５】
更に、痕跡残留部材には、係止規制部材が貫通可能な貫通穴部が形成されており、係止規制部材は、貫通穴部を貫通した状態で第１基板ケース及び第２基板ケースのうち少なくとも一方と接続することによって、痕跡残留部材の係止状態の解除を規制するように構成されていてもよい。
【００２６】
この構成によれば、痕跡残留部材の貫通穴部を貫通した係止規制部材が第１基板ケースと第２基板ケースのうちいずれか一方と接続されて、痕跡残留部材の係止状態が解除されることを規制するため、係止規制部材が破損しない限り、痕跡残留部材の係止状態が解除されず、内包する電子基板への不正アクセスをより確実に防止することができる。
【００２７】
なお、本発明において基板ケースは、電子基板を内包する全体としてのケースをいう場合と、全体のケースを構成する複数のケース部材１つ１つをいう場合とがある。例えば、協働して電子基板を内包する複数の基板ケースという場合の基板ケースは、全体としての基板ケースを構成するケース部材をいう。そのケース部材が複数協働して全体としてひとまとまりとなったケースを基板ケースという場合もあり、その基板ケースが電子基板を内包する。
【００２８】
本発明の更なる目的又はその他の特徴は、以下添付図面を参照して説明される好ましい実施の形態によって明らかにされるであろう。
【発明の効果】
【００２９】
本発明によれば、第１基板ケースと第２基板ケースとの分離を痕跡残留部材によって規制して、第１基板ケースと第２基板ケースとに内包される電子基板への不正アクセスを防止することができる。更に、電子基板にアクセスされた場合であっても、係合を解除された際の痕跡を残すことができるため、不正に解除されたことを早期に発見することが可能となる。また、痕跡残留部材の係止状態の解除を規制する係止規制部材を備えるため、痕跡残留部材の係止状態が解除されることを規制し、第１基板ケース及び第２基板ケースに内包される電子基板への不正アクセスを効果的に防止することができ、セキュリティー性を高めることが可能となる。
【図面の簡単な説明】
【００３０】
【図１】本発明の実施の形態１に係るパチンコ機の正面図である。
【図２】図１に示すパチンコ機の背面図である。
【図３】実施の形態１に係る主制御基板ユニットの正面図である。
【図４】図３に示す主制御基板ユニットを左後方から視認した状態の分解斜視図である。
【図５】図３に示す主制御基板ユニットを右前方から視認した状態の分解斜視図である。
【図６】本体ケースと蓋ケースの係合態様、カシメ部材の係止態様、及びカシメ規制部材の接続態様を模式的に示した斜視図である。
【図７】図６に示す断面図である。
【図８】実施の形態２に係る主制御基板ユニットの正面図である。
【図９】図８に示すＸ−Ｘ断面図である。
【図１０】本体ケースと蓋ケースとが分離した状態の断面図である。
【図１１】本体ケースと蓋ケースの係合態様、カシメ部材の係止態様、及びカシメ規制部材の接続態様を模式的に示した断面図である。
【図１２】図９に示すＹ−Ｙ断面図である。
【発明を実施するための形態】
【００３１】
＜実施の形態１＞
以下、本発明の実施の形態１について図面を用いて説明する。図１は、本発明の実施の形態１に係る主制御基板ユニット（電子基板ユニット）Ｕ１を有する遊技機としてのパチンコ機２の正面図である。このパチンコ機２は、遊技機枠３、遊技盤ユニット５、ガラス１０、発射ユニット（不図示）、球皿１４を有している。発射ユニットは、１個ずつ遊技球２３を遊技盤ユニット５に構成される遊技領域１６に向けて発射可能である。
【００３２】
パチンコ機２は、遊技者が後述する発射装置ハンドル１５を操作することによって、遊技領域１６に向けて遊技球が発射ユニットによって発射され、遊技球の流下による遊技が実現される。なお、遊技機は、パチンコ機２の他にパチンコ式スロットマシン機、コインゲーム機等のアーケードマシン、各種ゲーム機を概念することができ、要するに、遊技媒体の流下による遊技を実現する遊技領域を有するあらゆる遊技機が含まれる。なお、パチンコ機においても、アレンジボール機、雀球機等の組合せ式パチンコ機、いわゆるデジパチタイプ（１種タイプ）やハネモノタイプ（２種タイプ）のパチンコ機等のあらゆるパチンコ機が概念できるが、本実施の形態１においては、デジパチ遊技（１種遊技、図柄変動遊技ともいう。）を実現するいわゆる１種タイプのパチンコ機について例示説明する。なお、図柄変動遊技については後述する。
【００３３】
パチンコ機２の遊技機枠３は、後述する遊技盤ユニット５を保持するためのもので、このパチンコ機２の周囲側面及び前方又はそれに加えて後方を囲むように構成される。遊技機枠３の内部側には、遊技盤ユニット５の他にも後述する各種制御基板や遊技媒体用の経路等各種機構部品が配置され、遊技機枠３によって周囲側面及び前方又はそれに加えて後方からのパチンコ機２内部側への不正アクセスが防止されるようになっている。
【００３４】
パチンコ機２の周囲を囲む外枠４、その内側にヒンジ２２によって前方開閉可能に揺動支持されて遊技盤ユニット５を保持する前枠９、前枠９の前方にヒンジ２２によって前方開閉可能に揺動支持されガラス１０及びその周囲を装飾する装飾部材３２を保持するガラス枠１２、を有して遊技機枠３が構成される。なお、ガラス１０は、遊技機枠３内部側に保持された遊技盤６を前方から遊技者が視認することができるようにするための透明部材である。
【００３５】
ガラス１０は、遊技盤６に対して一定距離以上離間して配置された透明板である。ガラス１０は、２枚の透明平板ガラスで形成されてガラス枠１２の裏面側に保持され、遊技盤６との間に遊技球２３が流下する流下空間を形成する機能、遊技者がガラス１０を通して遊技盤６を視認できるように視認性を確保する機能、遊技者が遊技盤６に不正にアクセス（接触）できないようにする不正アクセス防止機能、を発揮する。
【００３６】
球皿１４は、遊技者の持ち球を貯留するためにパチンコ機２の前面に配置された皿部材であって、本実施の形態においては上球皿１４ａと下球皿１４ｂとを有している。上球皿１４ａは、球抜き部材１４ｃを有して遊技盤６の下方、すなわちガラス枠１２の下方部分に配置され、下球皿１４ｂは、その上球皿１４ａの更に下方に配置されている。
【００３７】
発射ユニットは、球送り装置（不図示）によって球皿１４の一部としての上球皿１４ａから発射位置に送り出された遊技球２３を遊技領域１６の上部に向けて発射（弾球）するためのものである。発射ユニットは、例えば発射位置の遊技球２３を弾球する発射杆、その発射杆を駆動する発射モータ、発射杆を付勢して弾球力を発生させる発射バネ等を有してユニット構成され、前枠９に取り付けられている。その発射ユニットによる球発射のため、遊技者の操作に基づいて球発射のオンオフ及びその発射強度調整を実現する発射装置ハンドル１５がパチンコ機２の前面下方に設けられている。
【００３８】
遊技盤ユニット５は、遊技盤面６ａ側の略中央に遊技役物としてのセンター役物７が配置された遊技盤６を有しており、その遊技盤面６ａには多数の遊技釘２７も配置されている。センター役物７の中央部には、画像表示手段としての演出表示装置７ａが配置されると共に、この演出表示装置７ａの表示部７ｂを露出させるための表示開口部７ｄが形成されている。
【００３９】
遊技盤６は、その表面側に遊技球２３の流下による遊技を実現するための遊技領域１６を構成するための盤状部材であり、遊技盤６を前方から遊技者にとって視認可能となるように遊技機枠３（本実施の形態においては、遊技機枠３の一部としての前枠９。）に保持されている。その遊技盤６の表面には略円形状に周囲を囲むようにレール飾り２６が取り付けられており、レール飾り２６の外レール２６ａが遊技盤に対して立設するように配置されている。そして、レール飾り２６の外レール２６ａによって画定され、外レール２６ａに面した略円形状の領域が遊技領域１６となっている。
【００４０】
遊技釘２７は、遊技領域１６を流下する遊技球２３と衝突してその流下方向を変更させる流下変更部材であり、多数が遊技領域１６内に配置されている。また、遊技領域１６には、普通入賞口２８、始動入賞口２９、大入賞口３１等の入球部材及びアウト口３０が配置されている。更に、遊技領域１６には、ゲート３３、風車２５等が配置されており、流下する遊技球２３が各入球部材に流入したり、ゲート３３を通過したり、風車２５を回転させたりすることによって、遊技球２３による流下遊技を楽しむことができるようになっている。
【００４１】
センター役物７は、演出表示装置７ａの周囲を覆うように構成されており、図柄変動遊技（１種遊技）を実現するものである。センター役物７の上部には、図柄表示手段としての第１図柄（特別図柄）表示装置１７が配置されると共に、センター役物７の中央部には、演出表示装置７ａが配置されている。
【００４２】
第１図柄（特別図柄）表示装置１７には、抽選手段の抽選結果である第１図柄の変動が表示される。第１図柄は、始動入賞口２９への遊技球２３の入球を契機として実行される第１抽選の結果に対応した図柄である。第１図柄の変動表示が所定の当選態様で停止することにより第１特別遊技としての大当りが発生する。
【００４３】
演出表示装置７ａは、例えば、液晶表示装置・有機ＥＬディスプレイ・ＬＥＤ等により構成されて遊技者が遊技盤面６ａ側から視認可能となるように配置され、その表示部７ｂ上に映像表示を行うものである。この演出表示装置７ａの表示部７ｂには、第１図柄に連動する第１装飾図柄の表示がなされる。第１装飾図柄は、第１抽選手段の抽選結果を視覚的に演出するための図柄であり、第１の遊技に対応する。また、例えば、キャラクター等によるストーリー仕立ての映像としての演出映像も表示部７ｂ上に表示されるようになっている。演出表示装置７ａには、遊技制御手段としての演出制御基板が中継基板を介して電気的に接続されており、演出制御基板によって画像表示が制御される。
【００４４】
遊技盤６の裏面側には、パチンコ機２の全体の制御を行う遊技制御手段としての主制御基板３４及び主制御基板ケース３５を有する主制御基板ユニットＵ１が設けられている。主制御基板ユニットＵ１は、互いに係合することにより主制御基板３４を内包する主制御基板ケース３５と、主制御基板ケース３５に係止することにより主制御基板ケース３５の係合状態を保持すると共に係合状態が解除された際の痕跡を残留させるカシメ部材（痕跡残留部材）４２と、カシメ部材４２の係止状態の解除を規制するカシメ規制部材（係止規制部材）４３と、を有する。この主制御基板ユニットＵ１については、後述にて詳細に説明する。
【００４５】
更に、遊技盤６の裏面側には、演出表示装置７ａの画像表示等演出の制御等を行う演出制御基板（図示せず）を収容した演出制御基板ケース３６と、賞球の払出しを制御する払出制御基板（図示せず）を収容した払出制御基板ケース３７と、電源基板（図示せず）を収容した電源基板ケース３８と、が配置されている。この各制御基板ケースに収容された各制御基板によって遊技が実現される。更に、遊技盤６の裏面側には、パチンコ機２の遊技状態等の遊技情報を外部に出力するための外部出力端子板３９が設けられている。
【００４６】
図示しない球発射装置により遊技球２３が発射されると、遊技球２３はレール飾り２６の外レール２６ａに沿いつつ進行して遊技領域１６内の上部に至る。その後、遊技球２３は、複数の通過軌跡に沿って移動し、あるものはレール飾り２６の外レール２６ａに沿って右側に移動し、あるものは遊技釘２７に衝突しつつ遊技領域１６内を下方に流下し、あるものは普通入賞口２８に流入して一定数の賞球の払出契機となり、あるものはいずれの入球装置にも流入せずに遊技領域１６内最下部に位置するアウト口３０に流入してアウト球としてパチンコ機２の外部側へと排出される。
【００４７】
図柄変動遊技中に遊技球２３が始動入賞口２９に流入すると、その流入に起因して演出表示装置７ａの表示図柄７ｃが回転表示（第１の特別遊技の抽選）を開始し、その表示図柄７ｃが所定の図柄（例えば、「７・７・７」。）で停止表示すれば、図柄変動遊技における大当り（第１の特別遊技。以下、図柄変動大当りという。）が発生する。そして、大入賞口３１が開放して多量の入賞球を受け入れ、多量の賞球が球皿１４へと払い出されるようになっている。
【００４８】
なお、本実施の形態１では、主制御基板３４を収容する主制御基板ユニットＵ１について例示して説明するが、他の制御基板ケースについても同様の構造を採用することが可能である。以下、本発明の実施の形態１に係る主制御基板ユニットＵ１について、図３から図７を用いて説明する。以下の説明においては、上下及び前後左右の方向は、遊技者からパチンコ機２を見た際の方向に基づいて定義し、図中に適宜図示する。
【００４９】
図３は、主制御基板ユニットＵ１の正面図である。図４及び図５は、主制御基板ユニットＵ１の分解斜視図である。図４は、左後方から主制御基板ユニットＵ１を視認した状態を示しており、図５は、右前方から主制御基板ユニットＵ１を視認した状態を示している。主制御基板ユニットＵ１は、遊技盤６の裏面側に着脱自在に固定される本体ケース（第１基板ケース）３５ａと、本体ケース３５ａに対して着脱自在に固定される蓋ケース（第２基板ケース）３５ｂとの２つの基板ケースを有し、これら両者が協働して主制御基板３４を内部に内包する。
【００５０】
主制御基板３４は、蓋ケース３５ｂの内面側に形成された開口部に固定されて、蓋ケース３５ｂと本体ケース３５ａとが係合することにより、主制御基板ケース３５の内部に収容されるようになっている。主制御基板３４の表面（ここでいう表面は、前面側である場合と後面側である場合とを含む。）には、ＲＯＭ、ＲＡＭ、ＣＰＵ等の電子デバイス、接続コネクタ等を含む電子部品３４ｂが実装されている。主制御基板３４の周囲には、固定面としての固定穴３４ａが形成されている。主制御基板３４の後側から固定穴３４ａに固定ネジ３５ｃを挿入して、この固定ネジと蓋ケース３５ｂのネジ穴（図示せず）とをネジ止めすることにより、主制御基板３４が蓋ケース３５ｂ内に固定されるようになっている。
【００５１】
主制御基板ケース３５の上側部及び下側部には、スライド固定部が設けられている。スライド固定部は、本体ケース３５ａの上側壁面及び下側壁面に沿ったスライド軸部３５ｄと、スライド軸部３５ｄが係止するスライド係合部３５ｅと、を有して構成され、スライド軸部３５ｄは本体ケース３５ａに形成され、スライド係合部３５ｅは蓋ケース３５ｂに形成されている。蓋ケース３５ｂを本体ケース３５ａの上面に載置した状態で、本体ケース３５ａに対して蓋ケース３５ｂを左方向に移動することにより、スライド係合部３５ｅとスライド軸部３５ｄとを介して本体ケース３５ａと蓋ケース３５ｂとが係合する。この係合状態では、主制御基板３４に対して外部から接触することはできない。
【００５２】
なお、本実施の形態１では、スライド軸部３５ｄを本体ケース３５ａに形成し、スライド係合部３５ｅを蓋ケース３５ｂに形成しているが、この構成に限られず、スライド軸部３５ｄを蓋ケース３５ｂに形成し、スライド係合部３５ｅを本体ケース３５ａに形成してもよい。
【００５３】
一方、係合状態において蓋ケース３５ｂを本体ケース３５ａに対して右方向に移動することにより、係合状態が解除されて本体ケース３５ａと蓋ケース３５ｂとが分離可能となる。本体ケース３５ａと蓋ケース３５ｂとは、左右方向にスライド移動することにより、係合状態を実現したり、係合状態が解除された分離状態を実現したりする。
【００５４】
次いで、本体ケース３５ａと蓋ケース３５ｂとの係合態様、カシメ部材４２の係止態様、及びカシメ規制部材４３の接続態様について詳細に説明する。図６は、本体カシメ穴部３５ｆ部分の本体ケース３５ａ、蓋カシメ穴部３５ｋ部分の蓋ケース３５ｂ、カシメ部材４２、及びカシメ規制部材４３を示した斜視図であり、本体ケース３５ａと蓋ケース３５ｂとの係合態様、カシメ部材４２の係止態様、及びカシメ規制部材４３の接続態様を模式的に示している。図７は、図６に示す断面図である。
【００５５】
まず、各部品の構成について詳細に説明する。主制御基板ケース３５の左側部には、カシメ部材４２が挿入可能なカシメ穴部（痕跡残留穴部）が形成されている。カシメ穴部は、本体ケース３５ａに形成された本体カシメ穴部３５ｆと、蓋ケース３５ｂに形成された蓋カシメ穴部３５ｋと、を有する。本体ケース３５ａと蓋ケース３５ｂとの係合状態において、蓋カシメ穴部３５ｋの下方に本体カシメ穴部３５ｆが配置される。
【００５６】
カシメ部材４２は、本体カシメ穴部３５ｆ及び蓋カシメ穴部３５ｋに挿入可能な円筒状の胴部４２ａと、胴部４２ａから外側に突出形成された突起部４２ｂと、胴部４２ａの上方に設けられたフランジ部４２ｃと、カシメ部材４２の上端に設けられた蓋部４２ｄと、を有する。胴部４２ａは、上下方向に沿った側面を有する円筒形状であり、その側面に上下方向に伸びるスリット部４２ｅが形成されている。スリット部４２ｅは、９０度間隔で４箇所形成されており、スリット部４２ｅ間に突起部４２ｂが配置されている。したがって、突起部４２ｂも９０度間隔で４箇所設けられている。カシメ部材４２の胴部４２ａは、スリット部４２ｅを介して４つに分割されており、内側に押圧されることにより内側に変形可能に構成されている。
【００５７】
フランジ部４２ｃは、その断面形状が胴部４２ａよりも外側に延出している。蓋カシメ穴部３５ｋは、フランジ部４２ｃの外形と略同形状であり、フランジ部４２ｃは、蓋カシメ穴部３５ｋを貫通可能である。一方、本体カシメ穴部３５ｆは、カシメ部材４２の胴部４２ａの外形と略同形であり、フランジ部４２ｃは、本体カシメ穴部３５ｆに貫通不可能である。したがって、本体ケース３５ａと蓋ケース３５ｂとが係合した状態において、カシメ部材４２を本体カシメ穴部３５ｆ及び蓋カシメ穴部３５ｋに挿入すると、フランジ部４２ｃは、蓋カシメ穴部３５ｋを貫通するが、本体カシメ穴部３５ｆを貫通せず、本体カシメ穴部３５ｆの上面とフランジ部４２ｃとが当接した状態となる。
【００５８】
また、本体カシメ穴部３５ｆには、カシメ部材４２の突起部４２ｂが係止する係止凹部３５ｇが形成されている。係止凹部３５ｇは、カシメ部材４２の突起部４２ｂに対応する位置に９０度間隔で４箇所設けられている。本体ケース３５ａと蓋ケース３５ｂとが係合した状態において、本体カシメ穴部３５ｆ及び蓋カシメ穴部３５ｋにカシメ部材４２が挿入されると、カシメ部材４２の突起部４２ｂが係止凹部３５ｇに係止する。
【００５９】
カシメ部材４２の突起部４２ｂが係止凹部３５ｇに係止することにより、カシメ部材４２と本体ケース３５ａとが係止状態となると共に、カシメ部材４２と本体ケース３５ａとに挟まれた蓋ケース３５ｂも係止状態となり、本体ケース３５ａと蓋ケース３５ｂとの分離（係合状態の解除）が規制された状態となる。
【００６０】
また、蓋ケース３５ｂには、本体カシメ穴部３５ｆ及び蓋カシメ穴部３５ｋにカシメ部材４２が係止した状態においてカシメ部材４２の蓋部４２ｄの外周面に沿うように立設された立設部３５ｐが設けられている。カシメ部材４２の蓋部４２ｄは、円盤形状であり、立設部３５ｐは、その側面を覆うように立設されている（図６及び図７参照）。このように、蓋部４２ｄの外周面を覆う立設部３５ｐを設けることにより、カシメ部材４２と蓋カシメ穴部３５ｋとの間に工具を差し込む等してカシメ部材４２の係止状態を無理に解除する不正行為を防止することができる。
【００６１】
更に、蓋ケース３５ｂ及び本体ケース３５ａには、カシメ部材４２の上面よりも上方に突出し、かつ本体カシメ穴部３５ｆ及び蓋カシメ穴部３５ｋにカシメ部材４２が係止した状態において、カシメ部材４２の側方を囲むように設けられた壁部３５ｑが設けられている（図６及び図７参照）。壁部３５ｑは、カシメ部材４２の上下側方及び左右側方を囲むように設けられており、その高さは、係止状態のカシメ部材４２よりも上方に突出している。このように壁部３５ｑを設けることにより、工具等による無理なカシメ部材４２の引き抜きを更に効果的に規制することができる。
【００６２】
なお、本実施の形態１では、本体ケース３５ａ及び蓋ケース３５ｂに壁部３５ｑを設けており、壁部３５ｑを併設しているが、この構成に限られず、本体ケース３５ａ及び蓋ケース３５ｂのいずれか一方に壁部３５ｑを設けてもよい。
【００６３】
蓋ケース３５ｂ及び本体ケース３５ａの側面には、カシメ規制部材４３が挿入可能な側壁穴部３５ｍが形成されている。カシメ規制部材４３は、カシメ部材４２の胴部４２ａの直径と略同幅の切り欠き部４３ａが形成されている。カシメ部材４２が本体ケース３５ａに係止した状態において、カシメ規制部材４３を側壁穴部３５ｍに挿入することにより、カシメ部材４２のフランジ部４２ｃの上方にカシメ規制部材４３が配置され、カシメ規制部材４３によってカシメ部材４２の上方への移動が規制される。
【００６４】
また、カシメ規制部材４３の側面には、蓋ケース３５ｂの内壁面に突出形成された接続突起３５ｎと接続される接続凹部４３ｂが形成されている（図７（ｄ）参照）。カシメ規制部材４３の接続凹部４３ｂと蓋ケース３５ｂの接続突起３５ｎとが接続されることにより、蓋ケース３５ｂからの引抜方向（左右方向）へのカシメ規制部材４３の移動が規制される。
【００６５】
次いで、図６に基づいてカシメ部材４２による本体ケース３５ａと蓋ケース３５ｂとの係合状態の解除規制、カシメ規制部材４３によるカシメ部材４２の係止状態の解除規制について説明する。図６（ａ）は、本体ケース３５ａと蓋ケース３５ｂとが係合する前の状態を示している。（ａ）に示す状態において蓋ケース３５ｂが左方向に移動されると、蓋ケース３５ｂのスライド軸部３５ｄ（図４参照）が本体ケース３５ａのスライド係合部３５ｅに進入して、本体ケース３５ａと蓋ケース３５ｂとが係合した係合状態となる。（ｂ）は、係合状態を示している。
【００６６】
次いで、本体ケース３５ａと蓋ケース３５ｂとの係合状態において、蓋ケース３５ｂの上方から本体カシメ穴部３５ｆと蓋カシメ穴部３５ｋにカシメ部材４２が挿入されると、カシメ部材４２の突起部４２ｂが本体カシメ穴部３５ｆ内に進入し、本体カシメ穴部３５ｆを構成する壁面によって突起部４２ｂが内側に押圧される。突起部４２ｂが内側に押圧されることにより、カシメ部材４２のスリット部４２ｅ間の隙間が変形し、胴部４２ａ及び突起部４２ｂが内側に変形する。この変形状態において突起部４２ｂが係止凹部３５ｇと対向する位置までカシメ部材４２が挿入されると、突起部４２ｂが係止凹部３５ｇに進入してカシメ部材４２の変形が解除される。
【００６７】
突起部４２ｂの上面は、カシメ部材４２の引抜方向（上方向）と直交しており、突起部４２ｂが係止凹部３５ｇ内に進入することにより、カシメ部材４２が本体ケース３５ａに係止した係止状態となる。図６（ｃ）は係止状態を示した斜視図である。カシメ部材４２が本体ケース３５ａに係止することにより、本体ケース３５ａと蓋ケース３５ｂとのスライド方向への移動が規制される。
【００６８】
次いで、カシメ部材４２が本体ケース３５ａに係止した状態において、本体ケース３５ａ及び蓋ケース３５ｂの左側面に形成された側壁穴部３５ｍにカシメ規制部材４３が挿入されると、カシメ規制部材４３が蓋ケース３５ｂの内壁面に沿って左方に移動する。そして、蓋ケース３５ｂの接続突起３５ｎがカシメ規制部材４３の接続凹部４３ｂ内に挿入されると、カシメ規制部材４３が蓋ケース３５ｂと接続され、カシメ規制部材４３の左右方向の移動が規制される。
【００６９】
図６（ｄ）は、カシメ規制部材４３が蓋ケース３５ｂと接続された状態である。図７（ｂ）は、図６（ｄ）に示すＨ−Ｈ断面の斜視図であり、図７（ｃ）は、図６（ｄ）に示すＪ−Ｊ断面図であり、図７（ｄ）は、図６（ｄ）に示すＫ−Ｋ断面図である。カシメ規制部材４３が蓋ケース３５ｂと接続された状態では、カシメ部材４２のフランジ部４２ｃの上方にカシメ規制部材４３が配置される。
【００７０】
カシメ規制部材４３の切り欠き部４３ａの幅は、カシメ部材４２の胴部４２ａと略同幅であるが、フランジ部４２ｃの長辺よりも短い。したがって、カシメ規制部材４３がフランジ部４２ｃの上方に位置する状態では、カシメ規制部材４３によってフランジ部４２ｃの上方への移動を規制することができる。したがって、カシメ規制部材４３によってカシメ部材４２の引抜方向（後方向）への移動が規制され、本体ケース３５ａと蓋ケース３５ｂとの係合状態の解除も確実に規制される。
【００７１】
また、本実施の形態１では、本体ケース３５ａと蓋ケース３５ｂとのスライド移動方向（左右方向）に対して、カシメ部材４２の挿入方向及び引抜方向（前後方向）が直交するように構成し、カシメ部材４２の挿入方向及び引抜方向（前後方向）に対してカシメ規制部材４３の装着方向（左右方向）が直交するように構成しているが、この構成に限られない。例えば、本体ケース３５ａと蓋ケース３５ｂとのスライド移動方向（左右方向）、カシメ部材４２の挿入方向及び引抜方向（上下方向）、及びカシメ規制部材４３の挿入方向及び引抜方向が互いに直交し、かつ異なる方向となるように構成してもよい。
【００７２】
このようなカシメ部材４２及びカシメ規制部材４３によって主制御基板ケース３５の係合状態を保持することにより、係合状態を解除することは困難であり、主制御基板ケース３５を開封するためには、カシメ部材４２が係止された状態の本体ケース３５ａ及び蓋ケース３５ｂの連結部材３５ｈ（図３参照）を切断して、カシメ部材４２を本体ケース３５ａ及び蓋ケース３５ｂから切り離すことが必要である。したがって、主制御基板ケース３５を開封した後は、連結部材３５ｈを切断した痕跡が残り、主制御基板ケース３５が不正に開放されたことを検出することができる。
【００７３】
以上、本発明の好ましい実施の形態１を説明したが、本発明はこれらに限定されるものではなく、その要旨の範囲内で様々な変形や変更が可能である。例えば、本実施の形態１に係る主制御基板ユニットＵ１は、カシメ部材４２を本体カシメ穴部３５ｆ及び蓋カシメ穴部３５ｋに挿入することにより、カシメ部材４２の突起部４２ｂが本体カシメ穴部３５ｆの係止凹部３５ｇに係止するように構成しているが、変形例として、カシメ部材４２を本体カシメ穴部３５ｆ及び蓋カシメ穴部３５ｋに挿入した後に、カシメ部材４２を（例えば４５度）回転させることにより、カシメ部材４２の突起部４２ｂが係止凹部３５ｇに係止するように構成してもよい。
【００７４】
具体的には、カシメ部材４２の突起部４２ｂと、本体カシメ穴部３５ｆの係止凹部３５ｇと、を挿入方向と直交する断面において４５度ずれた位置となるように形成する。そして、蓋カシメ穴部３５ｋと本体カシメ穴部３５ｆとにカシメ部材４２を挿入した後、カシメ部材４２を４５度回転させる。このカシメ部材４２の回転操作は、例えば、カシメ部材４２の蓋部４２ｄに突出形成された操作部４２ｆ（図６（ｂ）参照）を介して行うことができる。カシメ部材４２を４５度させることにより、カシメ部材４２が本体ケース３５ａに係止した係止状態となる。
【００７５】
このように、カシメ部材４２を４５度回転させることによって係止状態となるように構成することにより、係止状態のカシメ部材４２を後方に引き抜こうとしても、カシメ部材４２の係止状態が解除されず、より確実に係止状態の解除を規制することができる。更に、カシメ部材４２が４５度回転された状態では、蓋カシメ穴部３５ｋの穴部の形状と、カシメ部材４２のフランジ部４２ｃの外形の形状と、が引抜方向においてずれて配置されるため、カシメ部材４２の引抜方向への移動を蓋ケース３５ｂによっても規制することができる。
【００７６】
また、カシメ部材４２を回転させることにより係止状態となる構成において、カシメ部材４２の蓋部４２ｄの外周面を覆う立設部３５ｐ及びカシメ部材４２の側方を覆う壁部３５ｑの少なくとも一方が設けられていることにより、工具等によるカシメ部材４２の回転操作をし難くし、係止状態の解除をより効果的に規制することができる。なお、この場合には、立設部３５ｐ及び壁部３５ｑが操作部４２ｆの高さよりも高く構成されていることが好ましい。
【００７７】
更に、例えば、本実施の形態１では、本体ケースに対して蓋ケースをスライド移動することにより、本体ケースと蓋ケースとを係合及び分離するように構成されているが、次いで説明する実施の形態２のように回転軸となる回転軸部と、この回転軸部の軸受けとなる弧状爪部と、を有して、本体ケースと蓋ケースとを回転方向に相対移動することによって本体ケースと蓋ケースとを係合及び分離するように構成されていてもよい。次いで、本体ケースと蓋ケースとが回転方向に相対移動する実施の形態２に係る主制御基板ユニットＵ２について説明する。
【００７８】
＜実施の形態２＞
次いで、実施の形態２に係る主制御基板ユニット（電子基板ユニット）Ｕ２について説明する。実施の形態２に係る主制御基板ユニットＵ２は、本体ケース（第１基板ケース）１３５ａの左側部に回転軸部（回転軸）１３５ｄが設けられており、蓋ケース１３５ｂ（第２基板ケース）が本体ケース１３５ａの回転軸部１３５ｄを中心に回転方向に移動することにより、係合及び分離するように構成されている。なお、実施の形態１と同様の構成については説明を省略する。
【００７９】
図８は、実施の形態２に係る主制御基板ユニットＵ２の正面図であり、図９及び図１０は、図８に示すＸ−Ｘ断面図であり、図９は、本体ケース１３５ａと蓋ケース１３５ｂとが係合した状態であり、図１０は、本体ケース１３５ａと蓋ケース１３５ｂとの係合が解除された状態である。主制御基板ユニットＵ２は、互いに係合することにより主制御基板１３４を内包する主制御基板ケース１３５と、主制御基板ケース１３５に係止することにより主制御基板ケース１３５の係合状態を保持すると共に係合状態が解除された際の痕跡を残留させるカシメ部材（痕跡残留部材）１４２と、カシメ部材１４２の係止状態の解除を規制するカシメ規制部材（係止規制部材）１４３と、を有する。
【００８０】
主制御基板ケース１３５は、遊技盤６の裏面側に着脱自在に固定される本体ケース１３５ａと、本体ケース１３５ａに対して着脱自在に固定される蓋ケース１３５ｂとの２つの基板ケースを有し、これら両者が協働して主制御基板１３４を内部に内包する。
【００８１】
主制御基板ケース１３５の左側部には、ヒンジ部が設けられている。ヒンジ部は、本体ケース１３５ａの左側壁面に沿った回転軸部１３５ｄと、この回転軸部１３５ｄに係止する円弧状の弧状爪部１３５ｅと、を有して構成される。回転軸部１３５ｄは、本体ケース１３５ａに形成され、弧状爪部１３５ｅは、本体ケース１３５ａに形成されている。
【００８２】
次いで、本体ケース１３５ａと蓋ケース１３５ｂとの係合態様、カシメ部材１４２の係止態様について詳細に説明する。図１１は、本体ケース１３５ａと蓋ケース１３５ｂとの係合態様、カシメ部材１４２の係止態様、及びカシメ規制部材１４３の接続態様を模式的に示した部分拡大断面図である。本体ケース１３５ａは、遊技盤ユニット５に固定されており、蓋ケース１３５ｂが本体ケース１３５ａに対して回転方向に移動される。
【００８３】
図１０に示すように、蓋ケース１３５ｂの回転移動の軌跡Ｔは、回転軸部１３５ｄを中心にした円弧である。蓋ケース１３５ｂが本体ケース１３５ａに対して回転移動されることにより、本体ケース１３５ａと蓋ケース１３５ｂとが係合した係合状態と、本体ケース１３５ａと蓋ケース１３５ｂとの係合が解除された分離状態と、が実現される。図１１（ａ）は、本体ケース１３５ａと蓋ケース１３５ｂとが係合する前の状態を示している。（ａ）に示す状態からＺ方向に蓋ケース１３５ｂが回転されると、本体ケース１３５ａと蓋ケース１３５ｂとが係合した係合状態となる。図１１（ｂ）は、係合状態を示している。
【００８４】
次いで、本体ケース１３５ａと蓋ケース１３５ｂとの係合状態において、カシメ部材１４２を係止させる。本体ケース１３５ａと蓋ケース１３５ｂとの左側面には、カシメ部材１４２が挿入されるカシメ穴部（痕跡残留穴部）が設けられている。カシメ穴部は、本体ケース１３５ａに形成された本体カシメ穴部１３５ｆと、蓋ケース１３５ｂに形成された蓋カシメ穴部１３５ｋと、を有する。本体カシメ穴部１３５ｆと蓋カシメ穴部１３５ｋとは、左右方向に隣接して配置されている。カシメ部材１４２のカシメ穴部への挿入方向（右方向）は、蓋ケース１３５ｂの回転移動の軌跡Ｔと略直交する方向である。
【００８５】
カシメ部材１４２は、本体カシメ穴部１３５ｆ及び蓋カシメ穴部１３５ｋに挿入可能な円筒状の胴部１４２ａと、胴部１４２ａから外側に向けて伸縮する伸縮突起部１４２ｂと、伸縮突起部１４２ｂを外側に押圧するバネ部１４２ｃと、を有する。伸縮突起部１４２ｂは、外部から押圧されることによって縮み、その先端が胴部１４２ａの表面と略同一面となる。一方、外部からの押圧が解除されると、伸縮突起部１４２ｂは、バネ部１４２ｃによって押圧され胴部１４２ａよりも外側に突出する。
【００８６】
蓋カシメ穴部１３５ｋは、カシメ部材１４２の胴部１４２ａの外形と略同径であり、カシメ部材１４２は伸縮突起部１４２ｂが縮んだ状態で貫通する。また、本体カシメ穴部１３５ｆは、蓋カシメ穴部１３５ｋと同径の第１穴部１３５ｇと、第１穴部１３５ｇよりも大径の第２穴部１３５ｈと、が設けられている。蓋カシメ穴部１３５ｋに隣接して第１穴部１３５ｇが配置されている。
【００８７】
カシメ部材１４２を蓋カシメ穴部１３５ｋ内に挿入する際には、伸縮突起部１４２ｂを押圧した状態で挿入する。カシメ部材１４２は、蓋カシメ穴部１３５ｋを貫通した後、第１穴部１３５ｇに進入する。第１穴部１３５ｇに進入したカシメ部材１４２は、第１穴部１３５ｇを構成する壁面と当接しているため、伸縮突起部１４２ｂは縮んだ状態である。そして、カシメ部材１４２が更に進入し、伸縮突起部１４２ｂが第２穴部１３５ｈに到達すると、第２穴部１３５ｈを構成する壁面と伸縮突起部１４２ｂとの間に隙間が生じ、伸縮突起部１４２ｂが外側に突出する。
【００８８】
伸縮突起部１４２ｂが外側に突出することにより、第１穴部１３５ｇと第２穴部１３５ｈとの間の段差に伸縮突起部１４２ｂが係止し、本体カシメ穴部１３５ｆから引き抜かれる方向（左方向）へのカシメ部材１４２の移動が規制される。したがって、カシメ部材１４２の係止状態が維持され、本体ケース１３５ａと蓋ケース１３５ｂとの回転方向への移動（分離する方向への移動）が規制される。図１１（ｃ）は、カシメ部材１４２が本体ケース１３５ａに係止した状態を示している。
【００８９】
次いで、カシメ部材１４２が本体ケース１３５ａに係止した状態において、蓋ケース１３５ｂ、本体ケース１３５ａ、及びカシメ部材１４２に形成されたカシメ規制穴部にカシメ規制部材１４３を挿入する。図１２は、図９に示すＹ−Ｙ断面図である。（ａ）はカシメ規制部材１４３を挿入する過程を示しており、（ｂ）は、カシメ規制部材１４３が本体ケース１３５ａと接続された状態を示している。カシメ規制部材１４３は、指等で把持する把持部１４３ａと、上下方向に延設する２本の挿入片１４３ｂと、挿入片１４３ｂの先端に形成された爪部１４３ｃと、を有する。
【００９０】
カシメ規制穴部は、蓋ケース１３５ｂに形成された蓋カシメ規制穴部１３５ｍと、カシメ部材１４２に形成されたカシメ規制穴部１４２ｄと、本体ケース１３５ａに形成された本体カシメ規制穴部１３５ｎと、を有しており、互いに上下方向に連通している。蓋カシメ規制穴部１３５ｍとカシメ規制穴部１４２ｄとの断面は、略同形状である。本体カシメ規制穴部１３５ｎのカシメ規制部材１４３の挿入方向と直交する断面形状は、蓋カシメ規制穴部１３５ｍとカシメ規制穴部１４２ｄの断面よりも大きく形成されている。また、２本の挿入片１４３ｂは、弾性変形可能に構成されている。
【００９１】
このように構成されたカシメ規制部材１４３を蓋カシメ規制穴部１３５ｍに挿入すると、図１２（ａ）に示すように、カシメ規制部材１４３の爪部１４３ｃが蓋カシメ規制穴部１３５ｍを構成する壁面によって押圧され、爪部１４３ｃが互いに近接するように挿入片１４３ｂが弾性変形する。そして、カシメ規制部材１４３の爪部１４３ｃが蓋カシメ規制穴部１３５ｍ及びカシメ規制穴部１４２ｄを貫通して本体カシメ規制穴部１３５ｎに進入すると、爪部１４３ｃへの押圧による挿入片１４３ｂの弾性変形が解除される。挿入片１４３ｂの弾性変形が解除されると、近接していた爪部１４３ｃが離間し、爪部１４３ｃの上面とカシメ規制穴部１４２ｄの下面とが当接して、カシメ部材１４２によってカシメ規制部材１４３の上方への移動が規制される。
【００９２】
このようにカシメ規制部材１４３と本体ケース１３５ａとの接続によって、カシメ規制部材１４３によってカシメ部材１４２の引抜方向（右方向）への移動を規制することができる。本体ケース１３５ａと蓋ケース１３５ｂとの係合状態を保持するカシメ部材１４２の移動を規制することにより、より確実に本体ケース１３５ａと蓋ケース１３５ｂとの不正行為による分離を阻止することができる。加えて、カシメ規制部材１４３がカシメ部材１４２を貫通した状態で本体ケース１３５ａと接続されるため、カシメ規制部材１４３が破損しない限りカシメ部材１４２が不正に引き抜かれることを防止することができ、外部からの不正アクセスを更に効果的に防止することができる。
【００９３】
また、実施の形態２に係る主制御基板ユニットＵ２は、カシメ部材１４２の係止状態において、カシメ部材１４２の左端面と、蓋ケース３５ｂの左側面と、は略同一面となるように構成されているが（図１１（ｃ）参照）、蓋ケース３５ｂの左側面にカシメ部材４２の左端面よりも左方に突出した立設部を設けてもよい。立設部は、カシメ部材４２の外周面を覆うように設ける。立設部を設けることにより、実施の形態１に係る主制御基板ユニットＵ１と同様に、カシメ部材１４２と蓋カシメ穴部１３５ｋとの間に工具等が挿入されて、無理にカシメ部材１４２が引き抜かれることを阻止することができる。
【００９４】
加えて、カシメ規制部材１４３の不正な引き抜きを防止するために、カシメ規制部材１４３が蓋ケース３５ｂと接続した状態において、蓋ケース３５ｂにおけるカシメ規制部材１４３の把持部１４３ａの周囲に壁部を設けてもよい。壁部を更に設けることにより、カシメ規制部材１４３へのアクセスを困難にして、カシメ部材が不正に引き抜かれることを防止することができる。なお、この場合には、壁部がカシメ規制部材の高さよりも高く構成されていることが好ましい。
【符号の説明】
【００９５】
Ｕ１，Ｕ２：主制御基板ユニット（電子基板ユニット）
２：パチンコ機（遊技機）
３：遊技機枠
４：外枠
５：遊技盤ユニット
６：遊技盤
６ａ：遊技盤面
７：センター役物
７ａ：演出表示装置
７ｂ：表示部
７ｃ：表示図柄
７ｄ：表示開口部
９：前枠
１０：ガラス
１２：ガラス枠
１４：球皿
１４ａ：上球皿
１４ｂ：下球皿
１４ｃ：球抜き部材
１５：発射装置ハンドル
１６：遊技領域
１７：第１図柄（特別図柄）表示装置
２２：ヒンジ
２３：遊技球
２５：風車
２６：レール飾り
２６ａ：外レール
２７：遊技釘
２８：普通入賞口
２９：始動入賞口
３０：アウト口
３１：大入賞口
３２：装飾部材
３３：ゲート
３４：主制御基板（電子基板）
３４ａ：固定穴
３４ｂ：電子部品
３５：主制御基板ケース（基板ケース）
３５ａ：本体ケース（第１基板ケース）
３５ｂ：蓋ケース（第２基板ケース）
３５ｃ：固定ネジ
３５ｄ：スライド軸部
３５ｅ：スライド係合部
３５ｆ：本体カシメ穴部（痕跡残留穴部）
３５ｇ：係止凹部
３５ｈ：連結部材
３５ｋ：蓋カシメ穴部（痕跡残留穴部）
３５ｍ：側壁穴部
３５ｎ：接続突起
３５ｐ：立設部
３５ｑ：壁部
３６：演出制御基板ケース
３７：払出制御基板ケース
３８：電源基板ケース
３９：外部出力端子板
４２：カシメ部材（痕跡残留部材）
４２ａ：胴部
４２ｂ：突起部
４２ｃ：フランジ部
４２ｄ：蓋部
４２ｅ：スリット部
４２ｆ：操作部
４３：カシメ規制部材（係止規制部材）
４３ａ：切り欠き部
４３ｂ：接続凹部
１３４：主制御基板（電子基板）
１３５：主制御基板ケース
１３５ａ：本体ケース（第１基板ケース）
１３５ｂ：蓋ケース（第２基板ケース）
１３５ｄ：回転軸部（回転軸）
１３５ｅ：弧状爪部
１３５ｆ：本体カシメ穴部（痕跡残留穴部）
１３５ｇ：第１穴部
１３５ｈ：第２穴部
１３５ｋ：蓋カシメ穴部（痕跡残留穴部）
１３５ｍ：蓋カシメ規制穴部
１３５ｎ：本体カシメ規制穴部
１４２：カシメ部材（痕跡残留部材）
１４２ａ：胴部
１４２ｂ：伸縮突起部
１４２ｃ：バネ部
１４２ｄ：カシメ規制穴部
１４３：カシメ規制部材（係止規制部材）
１４３ａ：把持部
１４３ｂ：挿入片
１４３ｃ：爪部
【図１】
2011097995.tif 000003
【図２】
2011097995.tif 000004
【図３】
2011097995.tif 000005
【図４】
2011097995.tif 000006
【図５】
2011097995.tif 000007
【図６】
2011097995.tif 000008
【図７】
2011097995.tif 000009
【図８】
2011097995.tif 000010
【図９】
2011097995.tif 000011
【図１０】
2011097995.tif 000012
【図１１】
2011097995.tif 000013
【図１２】
2011097995.tif 000014